(57)【要約】【課題】参照元ウェブページから参照先ウェブページへのトラックバックを中継し、参照元ウェブページと参照先ウェブページとの間の関連を管理するデータ管理装置を提供すること。【解決手段】参照先ウェブページＷ１２１の内容を参照する参照元ウェブページＢ１２１を有するデータ保有装置Ｂ１が参照先ウェブページＷ１２１に関する情報に基づいて生成した代理トラックバックＵＲＬに対して送信するトラックバックピンを受信するデータ管理装置Ｐ１は、代理トラックバックＵＲＬから参照先ウェブページＷ１２１のトラックバックＵＲＬを抽出する情報抽出手段Ｐ１０１と、参照先ウェブページＷ１２１のトラックバックＵＲＬに対し参照元ウェブページＢ１２１からのトラックバックピンを中継するトラックバックピン中継手段Ｐ１０３と、を備える。【選択図】図２
2008083969.tif 000002
【特許請求の範囲】
【請求項１】
参照先ウェブページの内容を参照する参照元ウェブページを保有するデータ保有装置が該参照先ウェブページに関する情報に基づいて生成した代理トラックバックＵＲＬに対して送信するトラックバックピンを受信するデータ管理装置であって、
前記代理トラックバックＵＲＬから前記参照先ウェブページのトラックバックＵＲＬを抽出する情報抽出手段と、
前記情報抽出手段により抽出された前記参照先ウェブページのトラックバックＵＲＬに対し前記参照元ウェブページからのトラックバックピンを中継するトラックバックピン中継手段と、
を備えることを特徴とするデータ管理装置。
【請求項２】
前記参照元ウェブページに関する情報を前記参照先ウェブページに関する情報に関連付けてデータベースに格納する情報格納手段を備え、
前記情報抽出手段は、前記代理トラックバックＵＲＬから前記参照先ウェブページのＵＲＬおよび前記参照元ウェブページに関する情報を抽出する、
ことを特徴とする請求項１に記載のデータ管理装置。
【請求項３】
前記データベースに格納された前記参照元ウェブページに関する情報に登録情報が含まれるか否かを判定する登録情報存否判定手段を備え、
前記トラックバックピン中継手段は、前記登録情報存否判定手段により前記参照元ウェブページに関する情報に前記登録情報が含まれると判定された場合に、前記参照先トラックバックＵＲＬへのトラックバックピンの中継を禁止する、
ことを特徴とする請求項２に記載のデータ管理装置。
【請求項４】
参照先ウェブページと参照元ウェブページとの間のトラックバックを中継するデータ管理装置にネットワークを介して接続され、
前記参照元ウェブページを介して前記参照先ウェブページに関する情報を取得し、該参照先ウェブページに関する情報に基づいて前記参照先ウェブページのトラックバックＵＲＬの代わりとなる代理トラックバックＵＲＬを生成する代理トラックバックＵＲＬ生成手段を備える、
ことを特徴とするデータ保有装置。
【請求項５】
前記代理トラックバックＵＲＬ生成手段は、前記参照元ウェブページに関する情報および前記参照先ウェブページに関する情報に基づいて代理トラックバックＵＲＬを生成する、
ことを特徴とする請求項４に記載のデータ保有装置。
【請求項６】
参照先ウェブページと参照元ウェブページとの間のトラックバックを中継するデータ管理装置にネットワークを介して接続され、
前記参照先ウェブページを参照する前記参照元ウェブページに関する情報を前記データ管理装置から取得する参照元情報取得手段と、前記参照元情報取得手段により取得した前記参照元ウェブページに対するハイパーリンクを表示させるハイパーリンク表示手段と、を備える、
ことを特徴とするデータ保有装置。
【請求項７】
参照先ウェブページを保有する第一データ保有装置と、参照元ウェブページを保有する第二データ保有装置と、参照先ウェブページと参照元ウェブページとの間のトラックバックを中継するデータ管理装置と、から構成されるデータ管理システムであって、
前記第一データ保有装置は、
前記参照先ウェブページに関する情報に基づいて前記参照先ウェブページのトラックバックＵＲＬの代わりとなる代理トラックバックＵＲＬを生成する代理トラックバックＵＲＬ生成手段と、
前記代理トラックバックＵＲＬに対してトラックバックピンを送信する送信手段と、を備え、
前記データ管理装置は、
前記トラックバックピンを受けて前記代理トラックバックＵＲＬから前記参照先ウェブページのトラックバックＵＲＬを抽出する情報抽出手段と、
前記参照先ウェブページのトラックバックＵＲＬに対し前記トラックバックピンを中継するトラックバックピン中継手段と、
前記参照元ウェブページに関する情報を前記参照先ウェブページに関する情報に関連付けてデータベースに格納する情報格納手段と、を備え、
前記第二データ保有装置は、
前記参照先ウェブページを参照する前記参照元ウェブページに関する情報を前記データベースから取得する参照元情報取得手段と、
前記参照元情報取得手段により取得した前記参照元ウェブページに対するハイパーリンクを表示させるハイパーリンク表示手段と、を備える
ことを特徴とするデータ管理システム。
【請求項８】
参照先ウェブページを保有する第一データ保有装置と、参照元ウェブページを保有する第二データ保有装置と、参照先ウェブページと参照元ウェブページとの間のトラックバックを中継するデータ管理装置と、から構成されるデータ管理システムにおけるデータ管理方法であって、
前記参照先ウェブページに関する情報に基づいて前記参照先ウェブページのトラックバックＵＲＬの代わりとなる代理トラックバックＵＲＬを前記第一データ保有装置に生成させる代理トラックバックＵＲＬ生成ステップと、
前記代理トラックバックＵＲＬに対するトラックバックピンを前記第一データ保有装置から送信させる送信ステップと、
前記トラックバックピンを受けた前記データ管理装置に前記代理トラックバックＵＲＬから前記参照先ウェブページのトラックバックＵＲＬを抽出させる情報抽出ステップと、
前記情報抽出ステップにおいて抽出させた前記トラックバックＵＲＬに対する前記トラックバックピンを前記データ管理装置に中継させるトラックバックピン中継ステップと、
前記参照元ウェブページに関する情報を前記参照先ウェブページに関する情報に関連付けて前記データ管理装置のデータベースに格納させる情報格納ステップと、
前記参照元ウェブページに関する情報を前記データベースから前記第二データ保有装置に取得させる参照元情報取得ステップと、
前記参照元情報取得ステップにおいて取得させた前記参照元ウェブページに対するハイパーリンクを前記第二データ保有装置に表示させるハイパーリンク表示ステップと、
を備えることを特徴とするデータ管理方法。
【発明の詳細な説明】
【技術分野】
【０００１】
本発明は、参照先ウェブページがトラックバック機能をサポートしているか否かにかかわらず、参照先ウェブページと参照元ウェブページとを相互に関連付けるデータ管理システム、データ管理システムにおけるデータ管理方法、並びに、そのシステムを構成するデータ管理装置およびデータ保有装置に関し、特に、参照元ウェブページと参照先ウェブページとの間でトラックバック機能を中継するデータ管理装置、そのデータ管理装置に接続されるデータ保有装置、それら装置から構成されるデータ管理システム、および、データ管理システムにおけるデータ管理方法に関する。
【背景技術】
【０００２】
近年、インターネット上に公開されるウェブサイトとしてウェブログサイト（以下、「ブログサイト」という。）が急速に普及している。
【０００３】
「ブログサイト」とは、一般的に、日々公開されるウェブページ（以下、「ブログページ」という。）で構成されるウェブサイトをいい、各ブログページには、例えば、インターネット上で公開された他のウェブページの内容に対する個人的な意見、解説等が他のウェブページへのハイパーリンクと共に記載されたり、身の回りのことを日記的に書き綴った記事が記載されたりする。
【０００４】
ブログサイトは、ブログページの生成、管理を支援するための各種機能を有するブログプログラムがインストールされたブログサーバにおいて開設され、ブログサイトを開設した者は、パスワード等による認証を受けることで自身のブログサイトにおけるブログページを追加、変更、削除等することができる。
【０００５】
また、ブログサーバは、各ブログページを閲覧する者によるコメントの入力を受け付けて公開させるコメント機能、および、各ブログページ（参照されるブログページであり、以下「参照先ブログページ」という。）を参照する別のブログページ（参照するブログページであり、以下「参照元ブログページ」という。）へのハイパーリンクを参照先ブログページの一部に表示させるトラックバック機能を提供する。
【０００６】
特に、トラックバック機能は、ブログページ毎に生成されるトラックバックＵＲＬ（Uniform  Resource  Locator）にトラックバックピン(Ping)を送信することにより実行され、参照元ブログページのＵＲＬ、ブログ名、記事タイトル、記事の概要、トラックバックを実行した日時をハイパーリンクとして参照先ブログページに表示させることができる。
【０００７】
これによりブログサイトの閲覧者および開設者は、そのブログサイトの各ブログページに対する意見（コメント）を同じブログページ上で閲覧したり、同じブログページ上に自動生成されたハイパーリンクを介してそのブログページを参照する参照元ブログページに簡単に移行したりすることができる。
【０００８】
また、このようなブログサービスを提供するシステムには、コメント機能と同様のインターフェースによりトラックバック機能を実現する情報提供システムが知られている（例えば、特許文献１参照。）。
【０００９】
この情報提供システムによれば、自身のブログページを新たに公開しようとする者は、参照先ブログページのコメント欄に記事を入力して所定のボタンをクリックするだけで、コメント欄に入力した記事を内容とする参照元ブログページを自身のブログページとして自動的に公開し、かつ、参照先ブログページのトラックバックＵＲＬにトラックバックピンを自動的に送信することができる。
【００１０】
従って、自身のブログページを新たに公開しようとする者は、自身のブログページを生成するために自身のブログサイトを開く必要がなく、参照先ブログページから直接自身のブログページを生成して公開させると同時に参照先ブログページ上に自身のブログページへのハイパーリンクを表示させることができる。
【特許文献１】特開２００５−２５０８２６号公報
【非特許文献１】岩田  彰、鈴木  春洋、奥野  琢人、若山  公威、高須  紀樹、杉江  修、村瀬  晋ニ、「インターネット暗号化技術」、ソフト・リサーチ・センター、２００２年５月２５日
【発明の開示】
【発明が解決しようとする課題】
【００１１】
しかしながら、特許文献１に記載の情報提供システムは、従来のトラックバック機能をそのまま利用するので、参照先ブログページ上に参照元ウェブページへのハイパーリンクを時系列順に表示させるだけであり、参照元ブログページへのハイパーリンクを所定の条件に基づいて分類表示させたりすることはできない。また、トラックバック機能を備えていない参照先ウェブページと参照元ウェブページとの間には相互リンクを生成することもできない。
【００１２】
上述の問題に鑑み、本発明は、参照先ウェブページがトラックバック機能をサポートしているか否かにかかわらず、参照元ウェブページから参照先ウェブページへのトラックバックを中継し、参照元ウェブページと参照先ウェブページとの間の関連を管理するデータ管理システム、データ管理システムにおけるデータ管理方法、並びに、データ管理システムを構成するデータ管理装置およびデータ保有装置を提供することを目的とする。
【課題を解決するための手段】
【００１３】
上述の目的を達成するために、第一の発明に係るデータ管理装置は、参照先ウェブページの内容を参照する参照元ウェブページを保有するデータ保有装置が該参照先ウェブページに関する情報に基づいて生成した代理トラックバックＵＲＬに対して送信するトラックバックピンを受信するデータ管理装置であって、前記代理トラックバックＵＲＬから前記参照先ウェブページのトラックバックＵＲＬを抽出する情報抽出手段と、前記情報抽出手段により抽出された前記参照先ウェブページのトラックバックＵＲＬに対し前記参照元ウェブページからのトラックバックピンを中継するトラックバックピン中継手段と、を備えることを特徴とする。
【００１４】
また、第二の発明は、第一の発明に係るデータ管理装置であって、前記参照元ウェブページに関する情報を前記参照先ウェブページに関する情報に関連付けてデータベースに格納する情報格納手段を備え、前記情報抽出手段は、前記代理トラックバックＵＲＬから前記参照先ウェブページのＵＲＬおよび前記参照元ウェブページに関する情報を抽出することを特徴とする。
【００１５】
また、第三の発明は、第二の発明に係るデータ管理装置であって、前記データベースに格納された前記参照元ウェブページに関する情報に登録情報が含まれるか否かを判定する登録情報存否判定手段を備え、前記トラックバックピン中継手段は、前記登録情報存否判定手段により前記参照元ウェブページに関する情報に前記登録情報が含まれると判定された場合に、前記参照先トラックバックＵＲＬへのトラックバックピンの中継を禁止することを特徴とする。
【００１６】
また、第四の発明に係るデータ保有装置は、参照先ウェブページと参照元ウェブページとの間のトラックバックを中継するデータ管理装置にネットワークを介して接続され、前記参照元ウェブページを介して前記参照先ウェブページに関する情報を取得し、該参照先ウェブページに関する情報に基づいて前記参照先ウェブページのトラックバックＵＲＬの代わりとなる代理トラックバックＵＲＬを生成する代理トラックバックＵＲＬ生成手段を備えることを特徴とする。
【００１７】
また、第五の発明は、第四の発明に係るデータ保有装置であって、前記代理トラックバックＵＲＬ生成手段は、前記参照元ウェブページに関する情報および前記参照先ウェブページに関する情報に基づいて代理トラックバックＵＲＬを生成することを特徴とする。
【００１８】
また、第六の発明に係るデータ保有装置は、参照先ウェブページと参照元ウェブページとの間のトラックバックを中継するデータ管理装置にネットワークを介して接続され、前記参照先ウェブページを参照する前記参照元ウェブページに関する情報を前記データ管理装置から取得する参照元情報取得手段と、前記参照元情報取得手段により取得した前記参照元ウェブページに対するハイパーリンクを表示させるハイパーリンク表示手段とを備えることを特徴とする。
【００１９】
また、第七の発明に係るデータ管理システムは、参照先ウェブページを保有する第一データ保有装置と、参照元ウェブページを保有する第二データ保有装置と、参照先ウェブページと参照元ウェブページとの間のトラックバックを中継するデータ管理装置と、から構成されるデータ管理システムであって、前記第一データ保有装置は、前記参照先ウェブページに関する情報に基づいて前記参照先ウェブページのトラックバックＵＲＬの代わりとなる代理トラックバックＵＲＬを生成する代理トラックバックＵＲＬ生成手段と、前記代理トラックバックＵＲＬに対してトラックバックピンを送信する送信手段と、を備え、前記データ管理装置は、前記トラックバックピンを受けて前記代理トラックバックＵＲＬから前記参照先ウェブページのトラックバックＵＲＬを抽出する情報抽出手段と、前記参照先ウェブページのトラックバックＵＲＬに対し前記トラックバックピンを中継するトラックバックピン中継手段と、前記参照元ウェブページに関する情報を前記参照先ウェブページに関する情報に関連付けてデータベースに格納する情報格納手段と、を備え、前記第二データ保有装置は、前記参照先ウェブページを参照する前記参照元ウェブページに関する情報を前記データベースから取得する参照元情報取得手段と、前記参照元情報取得手段により取得した前記参照元ウェブページに対するハイパーリンクを表示させるハイパーリンク表示手段と、を備えることを特徴とする。
【００２０】
また、第八の発明に係るデータ管理方法は、参照先ウェブページを保有する第一データ保有装置と、参照元ウェブページを保有する第二データ保有装置と、参照先ウェブページと参照元ウェブページとの間のトラックバックを中継するデータ管理装置と、から構成されるデータ管理システムにおけるデータ管理方法であって、前記参照先ウェブページに関する情報に基づいて前記参照先ウェブページのトラックバックＵＲＬの代わりとなる代理トラックバックＵＲＬを前記第一データ保有装置に生成させる代理トラックバックＵＲＬ生成ステップと、前記代理トラックバックＵＲＬに対するトラックバックピンを前記第一データ保有装置から送信させる送信ステップと、前記トラックバックピンを受けた前記データ管理装置に前記代理トラックバックＵＲＬから前記参照先ウェブページのトラックバックＵＲＬを抽出させる情報抽出ステップと、前記情報抽出ステップにおいて抽出させた前記トラックバックＵＲＬに対する前記トラックバックピンを前記データ管理装置に中継させるトラックバックピン中継ステップと、前記参照元ウェブページに関する情報を前記参照先ウェブページに関する情報に関連付けて前記データ管理装置のデータベースに格納させる情報格納ステップと、前記参照元ウェブページに関する情報を前記データベースから前記第二データ保有装置に取得させる参照元情報取得ステップと、前記参照元情報取得ステップにおいて取得させた前記参照元ウェブページに対するハイパーリンクを前記第二データ保有装置に表示させるハイパーリンク表示ステップと、を備えることを特徴とする。
【発明の効果】
【００２１】
上述の手段により、本発明は、参照先ウェブページがトラックバック機能をサポートしているか否かにかかわらず、参照元ウェブページから参照先ウェブページへのトラックバックを中継し、参照元ウェブページと参照先ウェブページとの間の関連を管理するデータ管理システム、データ管理システムにおけるデータ管理方法、並びに、データ管理システムを構成するデータ管理装置およびデータ保有装置を提供することができる。
【発明を実施するための最良の形態】
【００２２】
以下、図面を参照しつつ、本発明を実施するための最良の形態の説明を行う。
【００２３】
図１は、本発明に係るデータ管理装置およびそのデータ管理装置に接続されるデータ保有装置を適用したデータ管理システムの構成例を示す図であり、データ管理システムＳは、操作端末Ｃ１と、データ保有装置であるブログサーバＢ１、Ｂ２、ウェブサーバＷ１、Ｗ２と、データ管理装置Ｐ１とから構成され、操作端末Ｃ１、ブログサーバＢ１、Ｂ２、ウェブサーバＷ１、Ｗ２およびデータ管理装置Ｐ１は、公衆電話網またはインターネット等のネットワークＮを介して相互に接続される。
【００２４】
なお、ネットワークＮに接続されるデータ保有装置またはデータ管理装置の数に限定はなく、１つの装置で複数の装置の機能を有するようにしてもよく、複数の装置で１つの装置の機能を分担するようにしてもよい。
【００２５】
図２は、データ管理装置Ｐ１、ブログサーバＢ１、および、ウェブサーバＷ１の構成例を示す図である。なお、ブログサーバＢ２は、ブログサーバＢ１と同様の構成を有し、ウェブサーバＷ２は、ウェブサーバＷ１と同様の構成を有することができる。
【００２６】
操作端末Ｃ１は、ユーザがブログを更新したりウェブサイトを閲覧したりするために使用する操作端末であり、例えば、ＰＣ（Personal  Computer）、ＰＤＡ（Personal  Digital  Assistant）または携帯用電話機等であって、ウェブページを閲覧するためのウェブブラウザを備える。
【００２７】
ブログサーバＢ１は、データ保有装置の一つであり、ウェブサービスの一つであるブログサービスを提供するためのサーバ装置である。
【００２８】
ブログサーバＢ１は、ブログページの編集、削除、公開を実行する制御部Ｂ１０、および、ブログサービスを提供するためのブログプログラムＢ１２０やユーザが公開したブログページＢ１２１を格納するための記憶部であるハードディスクＢ１２を有する。なお、記憶部は、半導体メモリ等、他の書き換え可能な記憶装置であってもよい。
【００２９】
制御部Ｂ１０は、ＣＰＵ（Central  Processing  Unit）、ＲＡＭ（Random  Access Memory）、ＲＯＭ（Read  Only  Memory）等を備えたコンピュータであり、ブログプログラムＢ１２０は、ユーザの認証、ブログページの編集、削除、公開、トラックバック、コメント公開等を実現するためのプログラムである。
【００３０】
ブログページＢ１２１は、時系列順にページを自動生成する機能、他のブログページの記事を関連付けるトラックバック機能、自身のブログページへのコメントを受け付けるコメント機能等を利用するウェブページであり、識別子によって特定される。
【００３１】
「識別子」とは、データ管理システムＳ上に存在する情報資源の場所を一意に定めるための値であり、例えば、ＵＲＩ（Uniform  Resource  Identifier）またはＵＲＬ（Uniform  Resource  Locator）等がある。
【００３２】
また、「トラックバック」とは、別のブログページを参照（リンク生成）した際に、その参照先ブログページに対して参照元ブログページが参照を行ったことを通知する仕組みのことをいう。
【００３３】
ブログページの作成者が参照先ブログページの記事を参照して自身の参照元ブログページに新規記事を作成するような場合、参照先ブログページへのリンクを貼るのが一般的だが、単にリンクを貼っただけでは参照先ブログページの管理者（作成者）は、どの参照元ブログページからリンクが貼られているのかを知ることができない。
【００３４】
トラックバックは、リンクを貼ったという情報を参照先ブログページの作成者に通知する仕組みで、参照元ブログページのＵＲＬやタイトル、内容の要約などを参照先ブログページに送信する。
【００３５】
通知を受けた参照先ブログページは、この情報に基づいて自身を参照している参照元ブログページの一覧を自動的に生成し、参照先ブログページにおいてその一覧を表示する。
【００３６】
なお、参照先ブログページに送信される通知のことを「トラックバックピン」と呼び、トラックバックピンの送信先を「トラックバックＵＲＬ」という。
【００３７】
ウェブサーバＷ１は、データ保有装置の一つであり、個人、団体、企業等が開設したウェブページＷ１２１を配信するためのサーバ装置である。
【００３８】
ウェブサーバＷ１は、ウェブページの閲覧を希望する者にウェブページを配信する処理を実行する制御部Ｗ１０、および、ウェブサーバプログラムＷ１２０やユーザが開設したウェブページＷ１２１を格納するための記憶部であるハードディスクＷ１２を有する。なお、記憶部は、半導体メモリ等、他の書き換え可能な記憶装置であってもよい。
【００３９】
制御部Ｗ１０は、ＣＰＵ、ＲＡＭ、ＲＯＭ等を備えたコンピュータであり、ウェブサーバプログラムＷ１２０は、ウェブページの閲覧を希望する者にウェブページを送信するためのプログラムである。
【００４０】
ウェブページＷ１２１は、個人、団体、企業等を紹介する情報サイト、広告素材を提供するアフィリエイトサイト、オンラインショップを運営するＥＣ(Electronic  Commerce)サイト等であり、ブログページＢ１２１と同様に、識別子（ＵＲＬ）によって特定される。
【００４１】
データ管理装置Ｐ１は、参照元ブログページと参照先ウェブページとの間でトラックバックを中継する等の処理を実行する制御部Ｐ１０、および、管理プログラムＰ１２０、リンク情報データベースＰ１２１、登録情報データベースＰ１２２を格納するための記憶部であるハードディスクＰ１２を有する。なお、記憶部は、半導体メモリ等、他の書き換え可能な記憶装置であってもよい。
【００４２】
制御部Ｐ１０は、ＣＰＵ、ＲＡＭ、ＲＯＭ等を備えたコンピュータであり、ハードディスクＰ１２に格納された代理トラックバックＵＲＬ生成手段Ｐ１００、情報抽出手段Ｐ１０１、トラックバックＵＲＬ取得手段Ｐ１０２、トラックバックピン中継手段Ｐ１０３、参照元存否判定手段Ｐ１０４、登録情報存否判定手段Ｐ１０５、情報格納手段Ｐ１０６、参照元情報取得手段Ｐ１０７およびハイパーリンク表示手段Ｐ１０８のそれぞれに対応するプログラムをＲＡＭに展開してこれら手段をＣＰＵに実行させる。なお、データ管理装置Ｐ１における管理プログラムＰ１２０は、これらプログラムから構成される。
【００４３】
管理プログラムＰ１２０は、インタプリタ型のプログラム開発言語であるＰｅｒｌ（Practical  Extraction  and  Report  Language）やＰＨＰ（Hypertext  Preprocessor）を用いて記述されるが、コンパイラ型のサーバサイドプログラミング言語で記述されてもよい。
【００４４】
また、データ管理装置Ｐ１は、データ管理システムＳ上の外部の装置から管理プログラムＰ１２０を呼び出すことができるよう管理プログラムＡＰＩ（Application  Program  Interface）Ｐ１１を提供する。
【００４５】
「ＡＰＩ」とは、一のプログラムが有する機能を他のプログラムで利用できるようにプログラム上の手続を定めた規約をいう。
【００４６】
管理プログラムＡＰＩ（Ｐ１１）は、例えば、ＸＭＬ―ＲＰＣ（eXtensible  Markup  Language  Remote  Procedure  Call）やＡｔｏｍ  ＡＰＩ等の規約に基づく遠隔呼び出し可能な関数を規定し、管理プログラムＰ１２０が有する各種機能を外部のプログラムが利用できるようにする。
【００４７】
データ管理装置Ｐ１は、例えば、ブログプログラムが備えるトラックバック機能を利用して、参照元ブログページからのトラックバックピンを受け入れ、参照元ブログページから参照先ウェブページ（ブログページを含む。）へのトラックバックピンを中継する。
【００４８】
また、データ管理装置Ｐ１は、参照元ブログページからのトラックバックピンに基づいて、参照先ウェブページのＵＲＬ、並びに、参照元ブログページのＵＲＬ、ブログ名、記事タイトル、記事の概要、および、トラックバックを実行した日時等を取得し、リンク情報データベースＰ１２１を構築する。
【００４９】
リンク情報データベースＰ１２１は、参照先ウェブページと参照元ブログページとの間の関係に関するデータを検索可能に体系的に構築したデータベースであり、図３に示すように、データ管理装置Ｐ１が取得した参照先ウェブページのＵＲＬ、並びに、参照元ブログページのＵＲＬ、ブログ名、記事タイトル、記事の概要、トラックバックを実行した日時、参照元ブログページで設定されたキーワードや参照元ブログページにおける参照先ブログページの評価等で構成される。
【００５０】
ここで、参照元ブログページで設定されたキーワード、参照元ブログページにおける参照先ブログページの評価等は、参照元ブログページを分類するために用いられる情報であって、以下、「タグ情報」という。
【００５１】
管理プログラムＰ１２０は、ブログプログラムが提供するトラックバック機能を利用して参照元ブログページのＵＲＬ、ブログ名、記事タイトル、記事の概要、および、トラックバックを実行した日時を取得し、後述の代理トラックバックＵＲＬを利用して参照先ウェブページのＵＲＬおよびタグ情報を取得する。参照先ウェブページのＵＲＬおよびタグ情報は、ブログプログラムが提供するトラックバック機能により取得することができないからである。
【００５２】
登録情報データベースＰ１２２は、トラックバックスパムを仕掛けてくる参照元ブログページを検出するためのデータを検索可能に体系的に構築したデータベースであり、例えば、図４に示すように、所定のキーワードやＵＲＬを登録するデータベースである。図４において、Ｐ１２２Ａは、トラックバックスパムを仕掛けてくる参照元ブログページの記事内容に含まれると推定されるキーワードのデータベースを示し、Ｐ１２２Ｂは、トラックバックスパムを仕掛けてくる参照元ブログページのものと推定されるＵＲＬのデータベースを示す。
【００５３】
ここで、「トラックバックスパム」とは、参照先ウェブページに掲載された記事とは無関係な内容を有する参照元ブログページからトラックバックを送信し、自身の参照元ブログページに閲覧者を誘導する行為をいう。
【００５４】
次に、図２を再び参照しながら、制御部Ｐ１０が有する各種手段について説明する。
【００５５】
代理トラックバックＵＲＬ生成手段Ｐ１００は、データ管理装置Ｐ１が参照元ブログページから参照先ウェブページへのトラックバックピンを中継する際に利用する代理トラックバックＵＲＬを生成する手段である。
【００５６】
「代理トラックバックＵＲＬ」とは、参照元ブログページからデータ管理装置Ｐ１にトラックバックピンを送信する際の送信先を示すＵＲＬであり、例えば、データ管理装置Ｐ１のＵＲＬと参照先ウェブページのＵＲＬまたはトラックバックＵＲＬとに基づいて代理トラックバックＵＲＬを生成する。
【００５７】
代理トラックバックＵＲＬは、例えば、先頭にデータ管理装置Ｐ１のＵＲＬが置かれ、参照先ウェブページのＵＲＬまたはトラックバックＵＲＬに基づいて一意に決定される文字列がそれに続く。
【００５８】
先頭にデータ管理装置Ｐ１のＵＲＬが置かれるのは、データ管理装置Ｐ１を経由させてトラックバックピンを参照先ウェブページに送信するためであり、参照先ウェブページのＵＲＬまたはトラックバックＵＲＬに基づいて一意に決定される文字列が続くのは、データ管理装置Ｐ１が参照元ブログページからトラックバックピンを受けた際に、参照先ウェブページのＵＲＬまたはトラックバックＵＲＬを他のウェブページと重複することなく抽出できるようにするためである。
【００５９】
なお、データ管理装置Ｐ１は、参照先ウェブページのトラックバックＵＲＬではなく、参照先ウェブページのＵＲＬを、後述の情報抽出手段Ｐ１０１により代理トラックバックＵＲＬから抽出した場合、その抽出したＵＲＬを用いて参照先ウェブページにアクセスし、参照先ウェブページがトラックバックに対応するときには、参照先ウェブページのトラックバックＵＲＬを取得することができる。
【００６０】
また、代理トラックバックＵＲＬ生成手段Ｐ１００は、参照元ブログページのタグ情報（例えば、参照元ブログページで設定されたキーワード）を代理トラックバックＵＲＬに包含させるようにしてもよい。
【００６１】
データ管理装置Ｐ１が参照元ブログページからトラックバックピンを受けた時点でそれらタグ情報を代理トラックバックＵＲＬから抽出し、抽出したタグ情報に基づいて参照先ウェブページまたは参照元ブログページを分類できるようにするためである。
【００６２】
この構成により、データ管理装置Ｐ１は、例えば、参照元ブログページを特定の参照先ブログページに対する肯定的な内容を有するものと特定の参照先ブログページに対する否定的な内容を有するものとに二分したり、特定の参照先ブログページの５段階評価を含む参照元ブログページを段階別に分類したりすることができる。
【００６３】
また、代理トラックバックＵＲＬ生成手段Ｐ１００は、参照先ウェブページのＵＲＬまたはトラックバックＵＲＬを可読状態のまま代理トラックバックＵＲＬに包含させるようにするが、参照先ウェブページのＵＲＬまたはトラックバックＵＲＬの部分を所定の文字列に変換したり暗号化したりして代理トラックバックＵＲＬに包含させるようにしてもよい（例えば、非特許文献１参照。）。
【００６４】
参照先ウェブページの真のトラックバックＵＲＬを秘匿し、トラックバックスパムを送信する参照元ブログページ等が参照先ウェブページに直接トラックバックピンを送信できないようにするためである。
【００６５】
通常、参照先ウェブページにトラックバックピンを送信しようとする参照元ブログページは、参照先ウェブページ上に公開されたトラックバックＵＲＬを用いてトラックバックピンを送信する。
【００６６】
しかし、参照先ウェブページのトラックバックＵＲＬを変換または暗号化して代理トラックバックＵＲＬが生成された場合、参照元ブログページは、参照先ウェブページの真のトラックバックＵＲＬを知ることができないので、参照先ウェブページに直接トラックバックピンを送信することができず、必然的にデータ管理装置Ｐ１に対してトラックバックピンを送信することとなる。
【００６７】
この構成により、データ管理装置Ｐ１は、参照先ウェブページに対する全てのトラックバックピンを受信し、参照先ウェブページと参照元ブログページとの間の関係を一括管理することが可能となる。
【００６８】
その結果、データ管理装置Ｐ１は、例えば、後述の登録情報存否判定手段Ｐ１０５を用いて参照元ブログページに所定のキーワード等が含まれるか否かを判定し、参照先ウェブページに対するトラックバックスパムをより確実に排除することができるようになる。
【００６９】
また、代理トラックバックＵＲＬ生成手段Ｐ１００は、参照先ウェブページから管理プログラムＡＰＩ（Ｐ１１）を介して呼び出されることにより、データ管理装置Ｐ１のＵＲＬと参照先ウェブページが通知する参照先ウェブページのＵＲＬ（またはトラックバックＵＲＬ）とから代理トラックバックＵＲＬを生成し、その生成した代理トラックバックＵＲＬを参照先ウェブページに対するトラックバックＵＲＬとして参照先ウェブページ上または所定のウェブページ上に公開させる。
【００７０】
また、代理トラックバックＵＲＬ生成手段Ｐ１００は、参照元ブログページから管理プログラムＡＰＩ（Ｐ１１）を介して呼び出されることにより、参照元ウェブページ上でユーザが入力した参照先ウェブページのＵＲＬ（またはトラックバックＵＲＬ）とデータ管理装置Ｐ１のＵＲＬとから代理トラックバックＵＲＬを生成し、その生成した代理トラックバックＵＲＬを参照先ウェブページに対するトラックバックＵＲＬとして参照元ブログページに通知するようにしてもよい。
【００７１】
この構成により、代理トラックバックＵＲＬ生成手段Ｐ１００は、参照先ウェブページがトラックバックＵＲＬを持たない場合であっても代理トラックバックＵＲＬを生成することができ、参照元ブログページは、トラックバックＵＲＬを持たない参照先ウェブページに対しても擬似的にトラックバックピンを送信することが可能となる。
【００７２】
次に、情報抽出手段Ｐ１０１について説明する。
【００７３】
情報抽出手段Ｐ１０１は、代理トラックバックＵＲＬ生成手段により生成された代理トラックバックＵＲＬから情報を抽出するための手段であり、例えば、参照先ウェブページのＵＲＬ、参照先ウェブページのトラックバックＵＲＬまたは参照元ブログページのタグ情報（以下、「タグ情報等」という。）を抽出する。
【００７４】
代理トラックバックＵＲＬのうち参照先ウェブページのＵＲＬもしくはトラックバックＵＲＬの部分が暗号化されている場合、情報抽出手段Ｐ１０１は、その暗号化された部分を復号化して参照先ウェブページのＵＲＬまたはトラックバックＵＲＬを取得する。
【００７５】
また、情報抽出手段Ｐ１０１は、好適には、管理プログラムＡＰＩ（Ｐ１１）を介して外部から呼び出されることがないようにする。暗号化された文字列を自由に解読されることがないようにするためである。
【００７６】
トラックバックＵＲＬ取得手段Ｐ１０２は、参照先ウェブページのトラックバックＵＲＬを取得するための手段であり、例えば、情報抽出手段Ｐ１０１により参照先ウェブページのＵＲＬが抽出された場合、そのＵＲＬで示されたアドレスにアクセスして参照先ウェブページのトラックバックＵＲＬを取得する。
【００７７】
また、データ管理装置Ｐ１は、代理トラックバックＵＲＬ生成手段Ｐ１００が参照先ウェブページから初めて呼び出されて代理トラックバックＵＲＬを生成する場合に、参照先ウェブページが通知する参照先ウェブページのＵＲＬとそのトラックバックＵＲＬとを対応付けてハードディスクＰ１２内の所定データベースに記憶しておき、その後、情報抽出手段Ｐ１０１により参照先ウェブページのＵＲＬが抽出された場合には、そのＵＲＬで示されたアドレスにアクセスすることなく、トラックバックＵＲＬ取得手段Ｐ１０２に所定データベースを参照させ参照先ウェブページのトラックバックＵＲＬを迅速に取得させるようにしてもよい。
【００７８】
トラックバックピン中継手段Ｐ１０３は、参照元ブログページから参照先ウェブページへのトラックバックピンを中継する手段であり、例えば、情報抽出手段Ｐ１０１により抽出された参照先ウェブページのトラックバックＵＲＬ、または、トラックバックＵＲＬ取得手段Ｐ１０２により取得された参照先ウェブページのトラックバックＵＲＬに対しトラックバックピンを送信する。
【００７９】
トラックバックピン中継手段Ｐ１０３は、トラックバックピンの送信元がデータ管理装置Ｐ１ではなく参照元ブログページとなるよう、参照先ウェブページのブログプログラムが提供するトラックバック関数における引数を設定する。
【００８０】
参照元存否判定手段Ｐ１０４は、参照元ブログページが存在するか否かを判定するための手段であり、例えば、参照元ブログページから受けたトラックバックピンに基づいて参照元ブログページのＵＲＬを取得し、そのＵＲＬにアクセスすることにより、実際にその参照元ブログページが存在するか否かを判定する。
【００８１】
実体のない参照元ブログページから送信されるトラックバックピンを排除するために実行され、データ管理装置Ｐ１は、参照元存否判定手段Ｐ１０４により参照元ブログページが存在しないと判定された場合に、トラックバックピンの中継（参照先ウェブページへの送信）を禁止するようにしてもよい。
【００８２】
登録情報存否判定手段Ｐ１０５は、登録情報データベースＰ１２２に登録された情報が参照元ブログページに関する情報に含まれるか否かを判定するための手段であり、例えば、参照元ブログページからのトラックバックピンを受けることにより取得したタグ情報等に、登録情報データベースＰ１２２に登録された文字列、ＩＰ（Internet  Protocol）アドレス帯、ドメイン名、ＵＲＬ、禁止文字等が含まれるか否かを判定する。
【００８３】
データ管理装置Ｐ１は、参照元ブログページからのトラックバックピンを受けて取得したタグ情報等と登録情報データベースＰ１２２に登録された文字列とを逐一比較し、登録情報存否判定手段Ｐ１０５により登録された文字列がタグ情報等の中に存在すると判定された場合に、トラックバックスパムであるとしてトラックバックピンの中継（参照先ウェブページへの送信）を禁止するようにしてもよい。
【００８４】
情報格納手段Ｐ１０６は、参照元ウェブページおよび参照先ウェブページに関する情報をリンク情報データベースＰ１２１に格納するための手段であり、例えば、データ管理装置Ｐ１が参照元ブログページからのトラックバックピンを受けることにより取得した参照元ブログページのＵＲＬ、ブログ名、記事タイトル、記事の概要、トラックバック実行日時、情報抽出手段Ｐ１０１により抽出した参照先ウェブページのＵＲＬ、トラックバックＵＲＬ、参照元ブログページのタグ情報等を相互に関連付けてリンク情報データベースＰ１２１に格納する。
【００８５】
また、情報格納手段Ｐ１０６は、登録情報存否判定手段Ｐ１０５によりタグ情報等の中に登録情報が存在しないと判定された場合に限り、タグ情報等をリンク情報データベースＰ１２１に格納するようにしてもよい。トラックバックスパムを送信するような参照元ブログページに関するタグ情報等がリンク情報データベースＰ１２１に格納されないようにするためである。
【００８６】
参照元情報取得手段Ｐ１０７は、参照先ウェブページを参照する参照元ブログページに関する情報を取得するための手段であり、例えば、参照先ウェブページから呼び出された場合に、参照先ウェブページのＵＲＬまたはトラックバックＵＲＬに基づいてリンク情報データベースＰ１２１から参照元ブログページのＵＲＬを取得する。
【００８７】
ハイパーリンク表示手段Ｐ１０８は、参照先ウェブページを参照する参照元ブログページへのハイパーリンクを所定のウェブページ上に表示させるための手段であり、例えば、参照元情報取得手段Ｐ１０７により取得された参照元ブログページのＵＲＬに対するハイパーリンクをデータ管理装置Ｐ１のハードディスクＰ１２に記憶されるハイパーリンク表示用ウェブページに表示させる。
【００８８】
ハイパーリンク表示用ウェブページのＵＲＬは、リンク情報データベースＰ１２１のフィールドの一つに、参照先ウェブページのＵＲＬまたはトラックバックＵＲＬに関連付けて格納されてもよい。
【００８９】
この場合、ハイパーリンク表示手段Ｐ１０８は、参照先ウェブページのＵＲＬまたはトラックバックＵＲＬに基づいてリンク情報データベースＰ１２１からハイパーリンク表示用ウェブページのＵＲＬを抽出する。
【００９０】
参照先ウェブページは、管理プログラムＡＰＩ（Ｐ１１）を介して参照元情報取得手段Ｐ１０７を呼び出し、参照先ウェブページを参照する参照元ブログページのＵＲＬ、タグ情報等を取得する。
【００９１】
また、参照先ウェブページは、管理プログラムＡＰＩ（Ｐ１１）を介してハイパーリンク表示手段Ｐ１０８を呼び出してハイパーリンク表示用ウェブページのＵＲＬを取得し、ハイパーリンク表示用ウェブページ上に参照先ウェブページを参照する全ての参照元ブログページへのハイパーリンクを表示させ、或いは、所定のキーワードで参照元ブログページを検索して分類し、分類された参照元ブログページへのハイパーリンクのみを表示させたりする。
【００９２】
参照先ウェブページがトラックバック機能をサポートしない場合であっても、参照先ウェブページは、閲覧された場合に管理プログラムＡＰＩ（Ｐ１１）を介してデータ管理装置Ｐ１にあるハイパーリンク表示手段Ｐ１０８を呼び出し、あたかもトラックバック機能をサポートする参照先ウェブページが参照元ブログページのハイパーリンク一覧を表示するように、ハイパーリンク表示用ウェブページ上に参照元ブログページのハイパーリンク一覧を表示させることができる。
【００９３】
なお、ハイパーリンク表示用ウェブページは、別ウィンドウで表示させてもよく、参照先ウェブページの同じページ内に一体化させて表示させてもよい。
【００９４】
次に、図５を参照しながら、データ管理装置Ｐ１における処理について説明する。
【００９５】
最初に、データ管理装置Ｐ１は、参照元ブログページから代理トラックバックＵＲＬに向けたトラックバックピンを受信し（ステップＳ１）、周知であるトラックバック関数の機能に基づいて参照元ブログページのＵＲＬを取得する（ステップＳ２）。
【００９６】
なお、参照元ブログページは、管理プログラムＡＰＩ（Ｐ１１）を介して代理トラックバックＵＲＬ生成手段Ｐ１００を呼び出し、代理トラックバックＵＲＬを既に取得しているものとする。
【００９７】
その後、データ管理装置Ｐ１は、参照元存否判定手段Ｐ１０４により、取得した参照元ブログページのＵＲＬにアクセスを試み、参照元ブログページが実際に存在するか否かを判定する（ステップＳ３）。実体が存在しないＵＲＬへハイパーリンクを設定しないようにするためである。
【００９８】
参照元ブログページからのレスポンスがなく参照元ブログページの存在が確認できない場合（ステップＳ３のＮＯ）、データ管理装置Ｐ１は、その旨を示すレスポンスデータをトラックバックピンの送信元に送信して（ステップＳ９）処理をエラー終了させる。
【００９９】
参照元ブログページからのレスポンスを受け参照元ブログページの存在が確認できた場合（ステップＳ３のＹＥＳ）、データ管理装置Ｐ１は、情報抽出手段Ｐ１０１により代理トラックバックＵＲＬから参照元ブログページのタグ情報等を抽出する（ステップＳ４）。
【０１００】
その後、データ管理装置Ｐ１は、参照元ブログページのＵＲＬ、記事本文またはタグ情報等に登録文字列等が含まれているか否かを登録情報存否判定手段Ｐ１０５により判定する（ステップＳ５）。
【０１０１】
実体が存在する場合であってもベイジアンフィルター等の所定のフィルタリングルールに基づきトラックバックスパムを仕掛けるようなブログページを検出してそのようなブログページにハイパーリンクを設定しないようにするためである。
【０１０２】
登録情報存否判定手段Ｐ１０５によりタグ情報等に登録文字列が含まれており参照元ブログページがスパムページであると判定された場合（ステップＳ５のＮＯ）、データ管理装置Ｐ１は、「所定の文字列が含まれるためトラックバックを中継することができない」旨を示すレスポンスデータをトラックバックピンの送信元に送信して（ステップＳ９）処理をエラー終了させる。
【０１０３】
登録情報存否判定手段Ｐ１０５によりタグ情報等に登録文字列が含まれておらず参照元ブログページがスパムページでないと判定された場合（ステップＳ５のＹＥＳ）、データ管理装置Ｐ１は、情報格納手段Ｐ１０６によりタグ情報等をリンク情報データベースＰ１２１に格納する（ステップＳ６）。
【０１０４】
その後、データ管理装置Ｐ１は、情報抽出手段Ｐ１０１により代理トラックバックＵＲＬから参照先ウェブページのＵＲＬを抽出し、トラックバックＵＲＬ取得手段Ｐ１０２により参照先トラックバックＵＲＬの取得を試み、参照先ウェブページがトラックバックをサポートしているか否かを判定する（ステップＳ７）。
【０１０５】
参照先ウェブページがトラックバックをサポートしていると判定した場合（ステップＳ７のＹＥＳ）、データ管理装置Ｐ１は、トラックバック中継手段Ｐ１０３により参照元ブログページから参照先ウェブページへのトラックバックを中継する（ステップＳ８）。
【０１０６】
その後、データ管理装置Ｐ１は、トラックバックが成功した旨をトラックバックピンの送信元に送信して（ステップＳ９）処理を正常終了させる。
【０１０７】
一方、参照先ウェブページがトラックバックをサポートしていないと判定した場合（ステップＳ７のＮＯ）、データ管理装置Ｐ１は、トラックバック中継手段Ｐ１０３により参照元ブログページから参照先ウェブページへのトラックバックを中継する代りに、ハイパーリンク表示用ウェブページを生成または更新し、参照先ウェブページが閲覧された場合に参照先ウェブページを参照する参照元ウェブページへのハイパーリンクをハイパーリンク表示用ウェブページ上に表示させるようにする。
【０１０８】
その後、データ管理装置Ｐ１は、上述の代替処理を実行した旨を示すレスポンスデータをトラックバックピンの送信元に送信して（ステップＳ９）処理を正常終了させる。
【０１０９】
このように、データ管理装置Ｐ１は、参照元ブログページから送信される参照先ウェブページに対するトラックバックピンを受信することにより、参照元ブログページで設定されたタグ情報等を集中的に収集することができ、参照先ウェブページと参照元ブログページとの間の関係を集中的に管理することができるようになる。
【０１１０】
なお、データ管理装置Ｐ１は、参照先ウェブページがトラックバックをサポートしていない場合であっても、参照先ウェブページの代りにトラックバックピンを受信しているので、参照先ウェブページが閲覧されたときには、参照先ウェブページがトラックバックをサポートしている場合と同様、参照先ウェブページを参照する参照元ウェブページへのハイパーリンクをハイパーリンク表示用ウェブページ等に表示させることができる。
【０１１１】
次に、図６を参照しながら、参照元ブログページを保有するブログサーバＢ１における処理について説明する。
【０１１２】
参照元ブログページのユーザは、記事入力フォームに記事を入力し、参照先ＵＲＬ入力フォームに参照先ウェブページのＵＲＬを入力して、参照元ブログページを公開する。
【０１１３】
最初に、ブログサーバＢ１は、参照先ＵＲＬ入力フォームを介して参照先ウェブページのＵＲＬを取得し（ステップＳ１１）、管理プログラムＡＰＩ（Ｐ１１）を介してデータ管理装置Ｐ１にある代理トラックバックＵＲＬ生成手段Ｐ１００を呼び出し、参照先ウェブページのＵＲＬに基づいて代理トラックバックＵＲＬを生成する（ステップＳ１２）。なお、ブログサーバＢ１は、代理トラックバックＵＲＬ生成手段Ｐ１００のプログラムをハードディスクＢ１２に備え、管理プログラムＡＰＩ（Ｐ１１）を介さずとも代理トラックバックＵＲＬを生成できるようにしてもよい。
【０１１４】
その後、ブログサーバＢ１は、トラックバックピンの送信先であるトラックバックＵＲＬに代理トラックバックＵＲＬを設定してトラックバックピンを送信する（ステップＳ１３）。
【０１１５】
この構成により、ブログサーバＢ１は、参照先ウェブページがトラックバックをサポートするか否かにかかわらず、参照先ウェブページのＵＲＬが取得できれば、データ管理装置Ｐ１にトラックバックピンを送信し、参照元ウェブページと参照先ウェブページとの間のリンク関係をデータとして記憶させることができる。
【０１１６】
次に、図７を参照しながら、参照先ウェブページを保有するウェブサーバＷ１における処理について説明する。
【０１１７】
ウェブサーバＷ１は、操作端末Ｃ１から参照先ウェブページの閲覧要求を受信すると操作端末Ｃ１にＨＴＭＬデータを送信して操作端末Ｃ１の画面上に参照先ウェブページを表示させる。
【０１１８】
参照先ウェブページは、トラックバックをサポートしないウェブページであるが、トラックバックをサポートするブログページと同様に、データ管理装置Ｐ１の管理プログラムＡＰＩ（Ｐ１１）を介して、参照先ウェブページを参照する参照元ウェブページを一覧表示させる機能を備える。
【０１１９】
ウェブサーバＷ１は、参照先ウェブページの閲覧要求を受けると自動的に管理プログラムＡＰＩ（Ｐ１１）を介して参照元情報取得手段Ｐ１０７を呼び出し、データ管理装置Ｐ１のハードディスクＰ１２にあるリンク情報データベースＰ１２１から、参照先ウェブページを参照する参照元ウェブページのＵＲＬを取得する（ステップＳ２１）。
【０１２０】
また、ウェブサーバＷ１は、参照先ウェブページ内にボタンを配置し、操作端末Ｃ１のユーザがそのボタンを押下した場合に、管理プログラムＡＰＩ（Ｐ１１）を介して参照元情報取得手段Ｐ１０７を呼び出し、参照先ウェブページを参照する参照元ウェブページのＵＲＬを取得するようにしてもよい。
【０１２１】
その後、ウェブサーバＷ１は、管理プログラムＡＰＩ（Ｐ１１）を介してハイパーリンク表示手段Ｐ１０８を呼び出し、参照元情報取得手段Ｐ１０７により取得した参照元ウェブページのＵＲＬをハイパーリンクとして表示するためのハイパーリンク表示用ウェブページのＵＲＬを取得する（ステップＳ２２）。
【０１２２】
なお、参照元情報取得手段Ｐ１０７およびハイパーリンク表示手段Ｐ１０８は、操作端末Ｃ１のブラウザに組み込まれたプラグインや操作端末Ｃ１にインストールされたアプリケーションソフトウェアから管理プログラムＡＰＩ（Ｐ１１）を介して呼び出されるようにしてもよく、その場合、参照先ウェブページにボタンを配置して各種手段を呼び出す等の構成を準備する必要がない。
【０１２３】
ハイパーリンク表示用ウェブページは、参照先ウェブページに１対１で対応するウェブページであり、データ管理装置Ｐ１のハードディスクＰ１２に格納され、そのＵＲＬも参照先ウェブページに関連付けてリンク情報データベースＰ１２１に格納される。
【０１２４】
また、ハイパーリンク表示用ウェブページは、参照先ウェブページを参照する参照元ウェブページのＵＲＬを時系列順に静的に保持していてもよく、検索フォームをハイパーリンク表示用ウェブページ内に有し、キーワード等により参照先ウェブページを参照する参照元ウェブページのＵＲＬを動的に検索させて、分類表示させるようにしてもよい。
【０１２５】
その後、ウェブサーバＷ１は、ハイパーリンク表示手段Ｐ１０８により、ハイパーリンク表示用ウェブページを操作端末Ｃ１の画面上に表示させる（ステップＳ２３）。
【０１２６】
この構成により、ウェブサーバＷ１は、トラックバックをサポートしていなくとも、管理プログラムＡＰＩ（Ｐ１１）を利用することにより、参照先ウェブページを参照する参照元ブログページのハイパーリンク一覧を表示させたり、参照先ウェブページを参照する参照元ブログページを分類表示させたりすることができる。
【０１２７】
また、操作端末Ｃ１は、閲覧しようとするウェブページがトラックバックをサポートしていなくとも、プラグインやクライアントアプリケーションを介して管理プログラムＡＰＩ（Ｐ１１）を利用することにより、参照先ウェブページを参照する参照元ブログページへのハイパーリンク一覧を表示させたり、参照先ウェブページを参照する参照元ブログページを分類表示させたりすることができる。
【０１２８】
次に、図８および図９を参照しながら、代理トラックバックＵＲＬを生成する処理について説明する。
【０１２９】
図８は、ウェブサーバＷ１におけるウェブページＷ１２１を参照した記事をブログサーバＢ１におけるブログページＢ１２１に公開した場合に、データ管理装置Ｐ１がウェブページＷ１２１とブログページＢ１２１とを関連付ける処理の流れを示す図である。
【０１３０】
ウェブサーバＷ１、ブログサーバＢ１およびデータ管理装置Ｐ１のＵＲＬは、それぞれ、「www.○○○.co.jp」、「www.□□□.co.jp」、「www.gaiax.co.jp」であり、参照先ウェブページであるウェブページＷ１２１のＵＲＬおよび参照元ブログページであるブログページＢ１２１のＵＲＬは、それぞれ、「www.○○○.co.jp/○○/100/」、「www.□□□.co.jp/○○/100/」である。なお、ウェブページＷ１２１は、トラックバックをサポートしており、トラックバックＵＲＬは、「www.○○○.co.jp/tb/○○/100/」である。
【０１３１】
図９は、ブログページＢ１２１の画面構成例を示す図であり、ブログページＢ１２１は、タイトル入力フォームＦ１、記事入力フォームＦ２、参照先ＵＲＬ入力フォームＦ３、キーワード入力フォームＦ４および評価用ラジオボタンＦ５を有する。
【０１３２】
図９において、タイトル入力フォームＦ１には「ワールドカップ」、記事入力フォームＦ２には「サッカーは、世界・・・」、参照先ＵＲＬ入力フォームＦ３には参照先ウェブページＷ１２１のＵＲＬである「www.○○○.co.jp/○○/100/」、キーワード入力フォームＦ４には、２つのキーワード「サッカー」および「ブラジル」が入力されている。
【０１３３】
また、評価用ラジオボタンＦ５は、参照先ウェブページＷ１２１の記載内容を評価するためのボタンであり、例えば５段階評価で「５」が最も高い評価、「１」が最も低い評価を表し、図９において、評価は「５」が選択されている。
【０１３４】
ブログページＢ１２１は、管理プログラムＡＰＩ（Ｐ１１）を介して代理トラックバックＵＲＬ生成手段Ｐ１００を呼び出し、参照先ウェブページＷ１２１のＵＲＬおよび参照元ブログページＢ１２１のタグ情報等に基づいて代理トラックバックＵＲＬを生成する。
【０１３５】
代理トラックバックＵＲＬ生成手段Ｐ１００は、データ管理装置Ｐ１のＵＲＬ「www.gaiax.co.jp」にトラックバックピンを意味する「/tbp/」を付加して代理トラックバックＵＲＬの先頭に配し、代理トラックバックＵＲＬが示す場所がデータ管理装置Ｐ１内となるようにする。
【０１３６】
代理トラックバックＵＲＬ生成手段Ｐ１００は、「www.gaiax.co.jp/tbp/」に続けて、参照先ＵＲＬ入力フォームＦ３に入力された参照先ウェブページＷ１２１のＵＲＬである「www.○○○.co.jp/○○/100/」を付加し、代理トラックバックＵＲＬを取得したデータ管理装置Ｐ１が代理トラックバックＵＲＬから参照先ウェブページＷ１２１のＵＲＬを抽出できるようにする。
【０１３７】
さらに、代理トラックバックＵＲＬ生成手段Ｐ１００は、「www.gaiax.co.jp/tbp/www.○○○.co.jp/○○/100/」に続けて、キーワード入力フォームＦ４に入力された２つのキーワード「サッカー」および「ブラジル」並びに評価用ラジオボタンＦ５で選択された評価「５」を「key=サッカー＋ブラジル/」および「grade=5/」の形で付加し、代理トラックバックＵＲＬを取得したデータ管理装置Ｐ１が代理トラックバックＵＲＬからタグ情報（この場合、キーワードおよび評価点である。）を抽出できるようにする。
【０１３８】
このように、代理トラックバックＵＲＬ生成手段Ｐ１００は、データ管理装置Ｐ１のＵＲＬ、参照先ウェブページＷ１２１のＵＲＬ、および、参照元ブログページＢ１２１のタグ情報を包含した代理トラックバックＵＲＬ「www.gaiax.co.jp/tbp/www.○○○.co.jp/○○/100/kye=サッカー＋ブラジル/grade=5/」を生成する。
【０１３９】
なお、「サッカー」または「ブラジル」といった代理トラックバックＵＲＬに含まれるマルチバイト文字列の部分は、説明の便宜上可読状態で示したが、実際にはＵＲＬエンコードされた状態で生成かつ処理される。
【０１４０】
代理トラックバックＵＲＬが生成されると、ブログページＢ１は、トラックバックピンを代理トラックバックＵＲＬに向けて送信する（図８のＳＧ１）。
【０１４１】
トラックバックをサポートするデータ管理装置Ｐ１は、ブログページＢ１から送信されたトラックバックピンを受け、代理トラックバックＵＲＬを取得する。
【０１４２】
代理トラックバックＵＲＬを取得したデータ管理装置Ｐ１は、情報抽出手段Ｐ１０１により参照先ウェブページＷ１２１のＵＲＬおよび参照元ブログページＢ１２１のタグ情報を抽出し、トラックバックＵＲＬ取得手段Ｐ１０２により参照先ウェブページＷ１２１のＵＲＬにアクセスして（図８のＳＧ２）、参照先ウェブページＷ１２１のトラックバックＵＲＬ「www.○○○.co.jp/tb/○○/100/」を取得する（図８のＳＧ３）。
【０１４３】
その後、データ管理装置Ｐ１は、トラックバック中継手段Ｐ１０３により、参照先ウェブページＷ１２１のトラックバックＵＲＬ「www.○○○.co.jp/tb/○○/100/」に対して参照元ブログページＢ１２１からのトラックバックピンを送信する。
【０１４４】
トラックバック中継手段Ｐ１０３は、トラックバックピンの送信元が参照元ブログページＢ１２１となるようトラックバック関数の引数を設定し、参照元ブログページＢ１２１と参照先ウェブページＷ１２１との間に相互リンクが生成されるようにする。
【０１４５】
また、データ管理装置Ｐ１は、情報格納手段Ｐ１０６により、参照先ウェブページＷ１２１のＵＲＬおよび参照元ブログページＢ１２１のタグ情報をリンク情報データベースＰ１２１に格納する（図９参照。）。
【０１４６】
リンク情報データベースＰ１２１の項目である「参照元ＵＲＬ」、「参照元タイトル」、「参照元記事概要」および「トラックバック日時」は、周知であるトラックバック機能により参照元ブログページＢ１２１からデータ管理装置Ｐ１に送信される。
【０１４７】
以上の構成により、データ管理装置Ｐ１は、参照元ブログページＢ１２１から参照先ウェブページＷ１２１へ送信されるトラックバックピンを参照元ブログページＢ１２１と参照先ウェブページＷ１２１との間で中継することにより、参照元ブログページＢ１２１と参照先ウェブページＷ１２１との間のリンク関係に加え、参照元ブログページＢ１２１のタグ情報等を取得することができ、取得したタグ情報等に基づいて、参照先ウェブページＷ１２１を参照する参照元ブログページＢ１２１を分類したり、検索したりすることができる。
【０１４８】
また、データ管理装置Ｐ１は、ウェブページまたはブログページ単位の管理ばかりでなく、ウェブサイトまたはブログサイト単位やドメイン単位でデータを管理することができる。
【０１４９】
また、データ管理装置Ｐ１は、管理プログラムＡＰＩ（Ｐ１１）を提供することにより、トラックバック機能をサポートしない参照先ウェブページがあたかもトラックバック機能をサポートするかのように機能させることができ、参照元ブログページと参照先ウェブページとの間の関連付けをより広範囲に行うことができる。
【０１５０】
以上、本発明の好ましい実施例について詳説したが、本発明は、上述した実施例に制限されることはなく、本発明の範囲を逸脱することなく、上述した実施例に種々の変形および置換を加えることができる。
【０１５１】
例えば、上述の実施例において、代理トラックバックＵＲＬ生成手段Ｐ１００は、キーワード入力フォームＦ４に能動的に入力されたキーワードをタグ情報として代理トラックバックＵＲＬに包含させるが、形態素解析により記事本文から抽出した文字列、所定の法則に基づいて本文の内容から類推した文字列、または、データ管理装置Ｐ１のハードディスクＰ１２等に格納された登録キーワードに合致する記事本文中の文字列等をタグ情報として代理トラックバックＵＲＬに包含させるようにしてもよい。
【０１５２】
また、ウェブページＷ１２１またはブログページＢ１２１は、管理プログラムＡＰＩ（Ｐ１１）を介してデータ管理装置Ｐ１にある管理プログラムＰ１２０の機能を利用するが、ウェブサーバＷ１またはブログサーバＢ１に管理プログラムＰ１２０をインストールして各種機能を直接利用できるようにしてもよい。
【図面の簡単な説明】
【０１５３】
【図１】ネットワークシステムの構成例を示す図である。
【図２】データ管理装置、ブログサーバおよびウェブサーバの構成例を示す図である。
【図３】リンク情報データベースの構成例を示す図である。
【図４】登録情報データベースの構成例を示す図である。
【図５】データ管理装置における処理の流れを示すフローチャートである。
【図６】参照元ウェブページにおける処理の流れを示すフローチャートである。
【図７】参照先ウェブページにおける処理の流れを示すフローチャートである。
【図８】データ管理装置が参照先ウェブページと参照元ブログページとを関連付ける処理の流れを示す図である。
【図９】ブログページの画面構成例を示す図である。
【符号の説明】
【０１５４】
Ｂ１、Ｂ２  ブログサーバ
Ｂ１０、Ｐ１０、Ｗ１０  制御部
Ｂ１２、Ｐ１２、Ｗ１２  記憶部
Ｂ１２０    ブログプログラム
Ｂ１２１    ブログページ
Ｃ１        操作端末
Ｆ１〜Ｆ５  入力フォーム
Ｎ          ネットワーク
Ｐ１        データ管理装置
Ｐ１１      管理プログラムＡＰＩ
Ｐ１００    代理トラックバックＵＲＬ生成手段
Ｐ１０１    情報抽出手段
Ｐ１０２    トラックバックＵＲＬ取得手段
Ｐ１０３    トラックバックピン中継手段
Ｐ１０４    参照元存否判定手段
Ｐ１０５    登録情報存否判定手段
Ｐ１０６    情報格納手段
Ｐ１０７    参照元情報取得手段
Ｐ１０８    ハイパーリンク表示手段
Ｐ１２０    管理プログラム
Ｐ１２１    リンク情報データベース
Ｐ１２２、Ｐ１２２Ａ、Ｐ１２２Ｂ  登録情報データベース
Ｓ          データ管理システム
Ｗ１、Ｗ２  ウェブサーバ
Ｗ１２０    ウェブサーバプログラム
Ｗ１２１    ウェブページ
【図１】
2008083969.tif 000003
【図２】
2008083969.tif 000004
【図３】
2008083969.tif 000005
【図４】
2008083969.tif 000006
【図５】
2008083969.tif 000007
【図６】
2008083969.tif 000008
【図７】
2008083969.tif 000009
【図８】
2008083969.tif 000010
【図９】
2008083969.tif 000011